(57)【要約】【課題】  コストを低減し、薄型化、コンパクト化が可能な電動圧縮機用の保護装置を提供する。【解決手段】    保護装置は、第１の側面２０６に接続用端子６０、７０．８０．１００を挿入するための複数の開口が形成され、第１の側面と対向する第２の側面２１０に複数の開口が形成された絶縁性材からなるハウジング２０と、プロテクタ３０と、一端部がプロテクタの導電性ピン３１０に接続され、他端部が接続用端子７０に接続されるヒューズ端子４０と、プロテクタの金属容器に接続される接続端子９０と、プロテクタ３０とヒューズ端子４０とを保持する保持部材５０とを有し、保持部材５０が第２の側面側に取り付けられるとき、ヒューズ端子の他端部が開口２２０に挿入され当該開口内で接続用端子７０と接続され、プロテクタに接続された接続端子９０が開口２２８ａ内に挿入され当該開口内で接続用端子１００と接続される。【選択図】    図３
2005146951.tif 000002
【特許請求の範囲】
【請求項１】
電動圧縮機内に取り付けられる保護装置であって、前記保護装置は、
上面、底面、上面と底面を連結する側面を含み、第１の側面に少なくとも第１および第２の接続用端子を挿入するための複数の開口が形成され、第１の側面と対向する第２の側面に複数の開口が形成された絶縁性材からなるハウジングと、
内部に収容した熱応動スイッチと電気的に接続される第１、第２の外部端子を有するプロテクタと、
一端部、他端部、および一端部と他端部の間のヒューズ部を含み、一端部がプロテクタの第１の外部端子に接続され、他端部が第１の接続用端子に接続される導電性金属からなるヒューズ端子と、
プロテクタの第２の外部端子に電気的に接続される接続端子と、
プロテクタの一部が露出するようにプロテクタを保持し、かつプロテクタの第１の外部端子に一端部が接続されたヒューズ端子を保持する絶縁性材からなる保持部材とを有し、
保持部材がハウジングの第２の側面側に取り付けられるとき、ヒューズ端子の他端部が第２の側面の１つの開口内に挿入され当該開口内で第１の接続用端子と接続され、プロテクタの第２の外部端子に接続された接続端子が第２の側面の他の開口内に挿入され当該開口内で第２の接続用端子と接続される、保護装置。
【請求項２】
第１の側面に形成された複数の開口は互いに隔壁によって隔離され、かつハウジング内部に向けて並行して延在し、第２の側面に形成された複数の開口のいくつかは第１の側面の開口のいくつかと連通する、請求項１に記載の保護装置。
【請求項３】
ハウジングの底面には、複数の貫通孔が形成されており、該複数の貫通孔は第１の側面の複数の開口のうち対応する開口と連通する、請求項１または２に記載の保護装置。
【請求項４】
ハウジングの上面に溶接用開口が形成され、第１の側面の開口から挿入された第１の接続用端子と第２の側面の開口から挿入されたヒューズ端子の他端部が溶接用開口を介して溶接される、請求項１ないし３いずれか１つに記載の保護装置。
【請求項５】
ハウジングの上面に開口が形成され、第２の側面の開口から挿入されたヒューズ端子のヒューズ部が当該開口を介して露出される、請求項１ないし４いずれかに記載の保護装置。
【請求項６】
保持部材は、ヒューズ端子を保持するための延在する部分を含み、該延在する部分が第２の側面の開口の形状に対応する外形を有する、請求項１ないし５いずれかに記載の保護装置。
【請求項７】
第１の接続用端子は、ハウジングの底面に形成された複数の貫通孔の一つと整合する位置において貫通孔を介して挿入された端子を保持する保持部と、保持部から延在しヒューズ端子の他端部と接続される接続部分と、第１の側面の開口内において位置決めを行う位置決め部とを有する、請求項１ないし６いずれかに記載の保護装置。
【請求項８】
第１の接続用端子の保持部、接続部および位置決め部は、第１の側面のそれぞれ異なる開口内に挿入される、請求項７に記載の保護装置。
【請求項９】
ハウジングの底面は第２の側面を越えて突出する延在部を有し、当該延在部上に保持部材が支持される、請求項１ないし８いずれかに記載の保護装置。
【請求項１０】
保持部材は、プロテクタの外周の一部を覆うプロテクタ保持部と、プロテクタ保持部に接続されたヒューズ端子保持部とを有し、ヒューズ端子保持部は、その長手方向に沿って切り込みを含み、該切り込み内にヒューズ端子が挿入され、さらにプロテクタ保持部はヒューズ部を露出するための露出用開口を有する、請求項１ないし９いずれかに記載の保護装置。
【請求項１１】
ヒューズ端子保持部がハウジングの第２の側面の開口内に挿入されたとき、ハウジングの上面の開口が露出用開口に整合される、請求項１ないし１０いずれかに記載の保護装置。
【請求項１２】
プロテクタは、熱応動スイッチを収容する一面が開放された金属容器と、金属容器と電気的に絶縁され金属容器の開放面に取り付けられるヘッダーとを含み、熱応動スイッチの第１のスイッチ端子がヘッダーに取り付けられた第１の外部端子に電気的に接続され、熱応動スイッチの第２のスイッチ端子が金属容器に電気的に接続され、該金属容器が第２の外部端子を構成する、請求項１ないし１１いずれかに記載の保護装置。
【請求項１３】
接続端子は、プロテクタの金属容器に溶接される溶接部と、第２の側面の開口内に挿入される端子部とを有する、請求項１ないし１２いずれかに記載の保護装置。
【請求項１４】
ハウジングの上面および底面は平坦であり、かつ互いに並行であり、ハウジングの厚さは実質的に第１および第２の開口の大きさによって規定される、請求項１ないし１３いずれかに記載の保護装置。
【発明の詳細な説明】
【技術分野】
【０００１】
本発明は、密閉型電動圧縮機用の保護装置に関し、特に密閉型電動圧縮機のフューサイトピンに一体型に取付けられるインターナルプロテクタに関する。
【背景技術】
【０００２】
密閉型電動圧縮機において過負荷運転時や冷媒ガス漏れ運転時等の異常状態が発生されたとき、モータへ流れる過電流や雰囲気温度を検知し電動圧縮機を保護するためのプロテクタが用いられている。プロテクタは、過電流や雰囲気の異常温度を感知するバイメタルスイッチを含み、電動圧縮機の異常事態を感知すると、バイメタルスイッチの接点を開いて回路を遮断し、モータを焼損等から保護する。
【０００３】
電動圧縮機のシェル上部に取付けられたフューサイトピン（Ｃ：コモン端子、Ｍ：主巻線端子、Ｓ：補助巻線端子）には、コンプレッサーメーカによって接続用タブ端子が溶接され、接続用タブ端子を介してモータ巻線やインターナルプロテクタが接続されている。しかし、最近では接続用タブ端子を取り去り、接続用タブを含む一体型プロテクタを使用することで材料コストや作業コストの低減を図ることが注目されてきている。一体型プロテクタを用いれば１回の操作にてフューサイトピンに取付け可能となる。
【０００４】
また、プロテクタによる保護とは別に、バイメタルスイッチの接点溶着やモータ巻線の短絡時に流れる定格電流の数十倍の異常電流を瞬時に遮断するヒューズ機能を備えたＩＢＰＳ（Integral Backup Protection System）が用いられる。この場合、ヒューズ素子はバイメタルスイッチに直列に接続され、プロテクタとともに電動圧縮機内に取付けられる。
【０００５】
特許文献１は、プロテクタと該プロテクタに直列に接続されたヒューズ素子をクラスタブロックに取付け、該クラスタブロックを電動圧縮機内のリードピンまたはフューサイトピンに接続する保護装置を開示している。
【０００６】
【特許文献１】米国特許５，９０３，４１８号
【発明の開示】
【発明が解決しようとする課題】
【０００７】
しかしながら従来の保護装置には次のような課題がある。特許文献１に示す保護装置は、プロテクタ、ヒューズおよび端子のすべてをクラスタブロックに取付ける構造であるため、電動圧縮機内部の構造、特にフューサイトピンの配置、方向またはフューサイトピン周囲のスペースが異なると、それに応じてクラスタブロックを設計しなければならない。特に、電動圧縮機の小型化により取付けスペースが制限されると、プロテクタの取付け位置や取付け方向がその制約を受けやすい。これでは各社各様の保護装置を備えなければならず、安価な製品を提供することができないという課題がある。
【０００８】
本発明は、上記従来の課題を解決し、コストを低減することが可能な電動圧縮機用の保護装置を提供することを目的とする。
さらに本発明は、薄型化、コンパクト化が可能な電動圧縮機用の保護装置を提供することを目的とする。
【課題を解決するための手段】
【０００９】
本発明に係る電動圧縮機内に取付けられる保護装置は、上面、底面、上面と底面を連結する側面を含み、第１の側面に少なくとも第１および第２の接続用端子を挿入するための複数の開口が形成され、第１の側面と対向する第２の側面に複数の開口が形成された絶縁性材からなるハウジングと、内部に収容した熱応動スイッチと電気的に接続される第１、第２の外部端子を有するプロテクタと、一端部、他端部、および一端部と他端部の間のヒューズ部を含み、一端部がプロテクタの第１の外部端子に接続され、他端部が第１の接続用端子に接続される導電性金属からなるヒューズ端子と、プロテクタの第２の外部端子に電気的に接続される接続端子と、プロテクタの一部が露出するようにプロテクタを保持し、かつプロテクタの第１の外部端子に一端部が接続されたヒューズ端子を保持する絶縁性材からなる保持部材とを有し、保持部材がハウジングの第２の側面側に取り付けられるとき、ヒューズ端子の他端部が第２の側面の１つの開口内に挿入され当該開口内で第１の接続用端子と接続され、プロテクタの第２の外部端子に接続された接続端子が第２の側面の他の開口内に挿入され当該開口内で第２の接続用端子と接続される。
【００１０】
好ましくは第１の側面に形成された複数の開口は互いに隔壁によって隔離され、かつハウジング内部に向けて並行して延在し、第２の側面に形成された複数の開口のいくつかは第１の側面の開口のいくつかと連通する。
【００１１】
好ましくはハウジングの底面には、複数の貫通孔が形成されており、該複数の貫通孔は第１の側面の複数の開口のうち対応する開口と連通する。また、ハウジングの上面に溶接用開口が形成され、第１の側面の開口から挿入された第１の接続用端子と第２の側面の開口から挿入されたヒューズ端子の他端部が溶接用開口を介して溶接される。これにより組立てを効率良く行うことができる。
【００１２】
好ましくはハウジングの上面に開口が形成され、第２の側面の開口から挿入されたヒューズ端子のヒューズ部が当該開口を介して露出される。ヒューズ部を露出させることで、所望の温度で溶断が行われるようにする。
【００１３】
好ましくは保持部材は、プロテクタの外周の一部を覆うプロテクタ保持部と、プロテクタ保持部に接続されたヒューズ端子保持部とを有し、ヒューズ端子保持部は、その長手方向に沿って切り込みを含み、該切り込み内にヒューズ端子が挿入され、さらにヒューズ保持部はヒューズ部を露出するための露出用開口を有する。
【００１４】
好ましくはプロテクタは、熱応動スイッチを収容する一面が開放された金属容器と、金属容器と電気的に絶縁され金属容器の開放面に取り付けられるヘッダーとを含み、熱応動スイッチの第１のスイッチ端子がヘッダーに取り付けられた第１の外部端子に電気的に接続され、熱応動スイッチの第２のスイッチ端子が金属容器に電気的に接続され、該金属容器が第２の外部端子を構成する。
【００１５】
好ましくはハウジングの上面および底面は平坦であり、かつ互いに平行であり、ハウジングの厚さは実質的に第１および第２の側面の開口によって規定される。ハウジング面を平坦かつ平行にすることで取り扱いが容易となり、開口にあわせた厚さとすることでハウジングの薄型化を可能にし、これによって非常に限られたスペースにも取付けることが可能となる。
【発明の効果】
【００１６】
本発明の保護装置は、ハウジングとは別個に、プロテクタおよびヒューズ端子を保持するための保持部材を用意し、それぞれを個別に設計できるようにしたため、電動圧縮機の仕様が異なった場合でもそれに柔軟に対処することができる。例えば、複数の電動圧縮機においてその内部の取付けスペースが異なるとき、ハウジングを共通にし、保持部材の設計を変更するようにすれば、保護装置のすべての設計を行うよりも労力および時間の短縮を図ることができ、その結果、コストを低減することができる。あるいは、これとは反対に保持部材を共通にし、ハウジングの設計を変更するようにしてもよい。さらに、保持部材によりヒューズ端子を保持させることで、保持部材のみを耐熱性の高い材質にし、ハウジングを保持部材よりも安価な耐熱材にすることも可能である。さらにハウジングの第１および第２の側面の開口を介して接続用端子や保持部材取付ける構成であるため、平面的に薄型の保護装置を得ることができ、保護装置の取付けスペースを削減することができる。
【発明を実施するための最良の形態】
【００１７】
本発明に係る保護装置は、好ましくは冷凍庫やエアコンディショナーに用いられる密閉型電動圧縮機の内部に取付けられ、モータの過負荷運転あるいは拘束運転の際にモータを焼損から保護する。以下、図面を参照して実施例を説明する。
【実施例】
【００１８】
図１は、本発明の実施例に係る保護装置の取付け例を示す図である。密閉型電動圧縮機１０は、シェル（外郭）１２の内部に電動機（モータ）および圧縮機を収容し、シェルには熱交換用の冷媒ガスが充填されている。シェル１２の頂部にはフューサイトピン１４もしくはガラス封止されたリードピンが設けられている。フューサイトピン１４は、外部からの電力を内部の電動機へ供給するためのインターフェースとして機能する。図２(ａ)は、シェル１２の外側から見たときのフューサイトピンの斜視図であり、図２（ｂ）はシェルの内側から見たときのフューサイトピンの平面図である。フューサイトピン１４には、それぞれコモン端子Ｃ、始動巻線用端子Ｓ、主巻線用端子Ｍが割り当てられている。
【００１９】
本実施例の保護装置１は、図１に示すようにシェル１２の内部においてフューサイトピン１４に取付けられている。好ましくは、保護装置１のハウジング上面がフューサイトピンを取付けたフランジ１４ａの外周に当接し、フューサイトピン１４の周囲にゴミやチリ等が付着しないようにフランジ内を密閉する。フューサイトピン１４の周囲には、冷媒ガスを熱交換機へ送出する吐出管１６や電動機の巻線１８が密集しており、限られた空間内に保護装置１を配置しなければならない。このため、保護装置１は、薄型かつコンパクトな構成に設計されている。
【００２０】
図３ないし図６は、本実施例の保護装置１を分解したときの構成を示す斜視図であり、図３および図４は保持部材を挿入する方向からの上方および下方からみた斜視図、図５および図６は接続用端子を挿入する方向からの上方および下方からみた斜視図である。
【００２１】
保護装置１は、ハウジング２０と、プロテクタ３０およびヒューズ端子４０を保持するＩＢＰＳ保持部材５０と、３つの接続用端子６０、７０、８０と、プロテクタ３０に溶接される接続端子９０と、接続用端子９０に接続される接続用端子１００を含んで構成される。
【００２２】
図７(ａ)はハウジングの第２の側面を示す図、同図（ｂ）は上面図、同図（ｃ）は底面図、同図（ｄ）は第１の側面を示す図である。図８(ａ)は図７（ｂ）のＹ１−Ｙ１、Ｙ２−Ｙ２、Ｙ３−Ｙ３、Ｙ４−Ｙ４、Ｙ５−Ｙ５線矢視断面図、図８（ｂ）は図７(ｄ)のＸ１−Ｘ１線矢視断面図である。
【００２３】
ハウジング２０は、ＰＢＴ(ポリブチレンテレフタレート)等の熱可塑性樹脂から成り、上面２０２、底面２０４、上面２０２と底面２０４を連結する４つの側面２０６、２０８、２１０、２１２とを有している（以下、側面２０６を第１の側面、側面２１０を第２の側面という）。第１の側面２０６には、ハウジングの内部に向かって延在する矩形状の５つの開口２２０、２２２、２２４、２２６、２２８が形成されている。
【００２４】
開口２２０は第１の側面２０６から第２の側面２１０まで貫通している。開口２２２は、隣接する開口２２０、２２４と壁によって仕切られており、第２の側面２１０の手前に位置する壁２２２ａまで延在している。さらに開口２２２は、ハウジングの上面２０２との間に間隙２２２ｂを形成するように上壁２２２ｃによって囲まれている。
【００２５】
開口２２４は開口２２２よりもハウジング内部に長く延在しその端部が壁２２４ａによって閉じられている。また、開口２２４は、上記した開口２２２の上部に形成された間隙２２２ｂと連通している。
【００２６】
開口２２６は開口２２２と同じ距離だけ延在しその端部が壁２２６ａで閉じている。開口２２８は、壁２２８ａまでは一定の形状で延在し、そこからはスリット状の貫通孔２２８ｂによって第２の側面２１０まで貫通している。開口２２０ないし２２８は、上面２０２と底面２０４の間に実質的に並行となるように並置されている。
【００２７】
第２の側面２１０には、開口２２０の出口を規定する開口２３０と、開口２２２と対向する開口２３２と、開口２２６と対向する開口２３６と、開口２２８の細長い貫通孔２２８ｂの出口を規定する開口２３８とが形成されている。開口２３２は壁２２２ａまで延在し、開口２３６は壁２２６ａまで延在する。
【００２８】
ハウジングの上面２０２には矩形状の２つの開口２０２ａ、２０２ｂが形成されている。開口２０２ａ、２０２ｂはそれぞれ開口２２０によって形成された空間と連通している。
【００２９】
ハウジングの底面２０４には、フューサイトピン１４を挿入するための円形状の貫通孔２０４ａ、２０４ｂ、２０４ｃが形成されている。貫通孔２０４ａ、２０４ｂ、２０４ｃは、それぞれ開口２２２、２２４、２２６の空間に連通されている。貫通孔２０４ａ、２０４ｃに隣接する位置には突起２０４ｄ、２０４ｅが形成されている。さらに底面２０４は、第２の側面２１０を超えてから一定の距離を突出する延在部２４０を有している。
【００３０】
図９は、プロテクタの内部構成を示す断面図である。プロテクタ３０は、公知のように金属容器３０２と金属容器３０２の開放面に電気的に絶縁されて取付けられるヘッダー３０４とを有する。金属容器３０２内にバイメタルスイッチ３０６が配置されている。バイメタルディスクの一端は導電性支持板３０８に固定され、金属容器３０２はヘッダー３０４の中央を貫通する導電性ピン３１０に溶接等によって接続されている。バイメタルの他端には可動接点３１２が固定され、可動接点３１２は金属容器３０２の内壁に設けられた固定接点３１４に接触しまたはそこから隔離される。導電性ピン３１０および金属容器３０２はプロテクタ３０の外部端子として機能する。外部端子に過剰電流が流されたとき、あるいは周囲温度が異常温度になると、バイメタルディスクが反転し、可動接点３１２が固定接点３１４から隔離し、電流通路が遮断される。
【００３１】
図１０はヒューズ端子の平面図である。ヒューズ端子４０は、例えば銅合金のような導電性薄板金属を打ち抜くことによって、幅広の一端部４０２と、幅広の他端部４０４と、これらの端部間に接続され断面積の小さな幅狭のヒューズ部４０６とに加工される。一端部４０２には突起４０８が形成され、該突起４０８は、後述する保持部材５０に保持されてプロテクタ３０の導電性ピン３１０に溶接により接続され、他端部４０４はハウジングの第２の側面２１０の開口２３０内に挿入される。ヒューズ部４０６は、一定の電流が流れたときに溶断するようにその断面積が適宜選択される。
【００３２】
図１１は、保持部材５０の構成を示す図であって、同図(ａ)は保持部材の斜視図、同図（ｂ）ないし（ｆ）は同図(ａ)を矢印Ａ１ないしＡ５から見たときの図である。
【００３３】
保持部材５０は、例えば不飽和酸ポリエステル等の熱硬化性樹脂から構成され、プロテクタ３０を保持するプロテクタ保持部５００と、プロテクタ保持部５００に接続されたヒューズ端子保持部５２０とを有している。プロテクタ保持部５００は、一対の対向する側面５０２、５０４と、側面５０２、５０４を連結する上面５０６および仕切り面５０８によって囲まれた第１の空間５１０と、仕切り面５０８の中央部に形成された楕円状の開口５１２を介して連通される第２の空間５１４とを有している。第２の空間は、側面５０２、５０４、仕切り面５０８、側面５１６とによって包囲されて、その上面側は露出されている。第１の空間５１０にプロテクタ３０のヘッダー部分が収容され、導電性ピン３１０が開口５１２を介して第２の空間５１６内に延在される。
【００３４】
ヒューズ端子保持部５２０は、矩形状の外形を有し、側面５０２から延在している。ヒューズ端子保持部５２０の上面５２２には、コ字型の突起５２４が形成されている。突起５２４で囲まれた部分には開口５２６が形成され、開口５２６により第３の空間が内部に形成されている。第３の空間は、側面５０２に形成された開口（図示省略）を介して第２の空間５１４に連通されている。また、ヒューズ端子保持部５２０の端部５２８からその中央の長手方向に沿ってスリット状の切り込み５３０が形成され、切り込み５３０は、第３の空間に連通されている。
【００３５】
切り込み５３０の間隔は、図１１（ｆ）に示すように中央に向かうに従い徐々に狭くなっており、一番間隔の狭い部分はヒューズ端子４０の板厚に略等しい。第１の空間５１０にプロテクタ３０のヘッダー部分が収容され、そこから導電性ピン３１０が第２の空間５１４内に挿入されたとき、ヒューズ端子４０が切り込み５３０内に保持され、ヒューズ端子４０の一端部４０２が第２の空間５１４内に位置する。一端部４０２に形成された突起４０８が導電性ピン３１０と溶接できるようにヒューズ端子４０が位置決めされる。突起４０８と導電性ピン３１０が溶接により固定されたとき、突起５２４に囲まれた開口５２６からヒューズ部４０６が露出される。
【００３６】
図１２は、接続端子（クイック端子）９０の構成を示す図である。接続端子９０は、好ましくはステンレス等の金属から構成される。接続端子９０は、プロテクタ３０の金属容器３０２の底面と接続される接続部９００と、端子部９１０とを有する。接続部９００は、プロテクタ３０の金属容器３０２とほぼ等しい長さに設定され、金属容器３０２と溶接される溶接用突起９０２と、溶接用突起９０２とほぼ同程度の高さの複数の突起９０４とを有する。プロテクタ３０のヘッダー３０４が金属容器３０２よりも外形が大きく突出しているため、プロテクタ３０が接続部９００上に載置されたとき、溶接用突起９０２および突起９０４がプロテクタ３０をほぼ水平にさせる。端子部９１０は、接続部９００と直角方向であって、その面が載置部の面と直角となるように延在する。端子部９１０は、上記したハウジング２０の第２の側面の開口２３８からスリット状の貫通孔２２８ｂ内に挿入される。なお、突起９０４を溶接に用いることもできる。
【００３７】
保持部材５０にプロテクタ３０およびヒューズ端子４０が保持された後、接続部９００がプロテクタ３０の金属容器３０２に溶接される。これによって、保持部材５００がモジュール化される。なお、接続部９００をプロテクタ３０に溶接した後に、プロテクタ３０の導電性ピン３１０とヒューズ端子４０とを溶接するようにしてもよい。
【００３８】
図３ないし図６に示すように、モジュール化された保持部材５０がハウジング２０の第２の側面２１０に取付けられる。ヒューズ端子保持部５２０は、矩形状の内形を有する開口２３０に挿入され、ヒューズ端子保持部５２０のコ字型の突起５２４がハウジングの開口２０２ａ内に嵌合する。また、接続端子９０の接続端子部９１０が開口２３８から貫通孔２２８ａ内に挿入され、保持部材５０の底面がハウジング２０の延在部２４０上に支持される。こうして保持部材５０はハウジング２０の第２の側面２１０に固定される。
【００３９】
次に、ハウジング２０の第１の側面２０６に挿入される接続用端子６０、７０、８０について説明する。図３ないし図６に示すように、第１の側面２０６の開口２２２内に接続用端子６０が挿入される。接続用端子６０は、銅合金等の導電性金属から成り、一端部６２にはモータの運転用巻線６４が固定されている。一端部６２から延在した金属は、ほぼ３６０度で折り返され他端部６６が形成されている。折り返しを形成することで一端部６２と他端部６６との間に一定の間隙が形成され、他端部６６が一端部６２に対して折り返し部を支点に弾性変形することができる。また、一端部６２と他端部６６とが対向する所定の位置にフューサイトピン（主巻線用端子Ｍ）を弾性的に保持するための曲面を有する弾性保持部６８が形成されている。
【００４０】
開口２２２の幅は、一端部６２と他端部６６との間隙よりも若干狭く、接続用端子６０が開口２２２内に挿入されたとき、一端部６２と他端部６６が開口２２２の内壁を押圧する。同時に、接続用端子６０はハウジングの底面からの突起２０４ｄに位置決めされ、折り返し部が壁２２２ａに当接され、弾性保持部６８が貫通孔２０４ａに整合される。こうして接続用端子６０が開口２２２内に保持される。
【００４１】
接続用端子８０は、接続用端子６０と基本構成を同一とする。接続用端子８０の一端部にはモータの始動巻線８２が接続され、第１の側面２０６の開口２２６内に挿入され、突起２０４ｅによって位置決めされる。接続用端子８０の弾性保持部は、貫通孔２０４ｃに整合され、貫通孔２０４ｃから挿入された始動巻線用端子Ｓを弾性的に保持する。
【００４２】
図１３は、接続用端子７０の構成を示す図であり、同図(ａ)は左面図、同図（ｂ）は上面図、同図（ｃ）は右側面図、同図(ｄ)は正面図である。接続用端子７０は、銅合金等の導電性金属を加工したものであり、基部７００と、基部７００からクランク状に折れ曲がって延在する一端部７０２の下方に向けて突出する２つの突起７０４と、基部７００の中央部から直角方向に延在する一対の位置決め部７１０と、基部７００の他端部から直角方向に延在する端子保持部７２０とを有している。
【００４３】
一対の位置決め部７１０は、基部７００から徐々に幅が狭くなるように一定の距離を延在し、先端に傾斜面を有する突出部７１２が形成されている。
【００４４】
端子保持部７２０は、基部７００の他端部から直角方向に折れ曲がる折曲部７２２と、折曲部７２２から延在する第１の延在部７２４と、第１の延在部７２４からほぼ３６０折り返された折り返し部７２６と、折り返し部７２６から基部７００の手前まで延在する第２の延在部７２８とを有している。第１および第２の延在部７２４、７２８の対向する位置に、フューサイトピンを弾性的に保持するための湾曲した面を含む弾性保持部７３０が形成されている。
【００４５】
接続用端子７０は、ハウジングの第１の側面２０６の開口内に挿入される。すなわち、端子保持部７２０は、開口２２４内に挿入され、このとき弾性保持部７３０が底面に形成された貫通孔２０４ｂと整合される。同時に、位置決め部７１０は、開口２２２の上部に形成された間隙２２２ｂに挿入され、先端の突出部７１２が間隙２２２ｂに形成された係止部（図示省略）と係止されることで接続用端子７０が固定される。さらに、基部７００の突起７０４が間隙２２２ｂを介して開口２２０内に位置され、突起７０４がヒューズ端子４０の他端部４０４上に整合される。この状態で、ハウジング２０の溶接用開口２０２ｂから、ヒューズ端子４０の他端部４０４に対して突起７０４が溶接される。
【００４６】
さらに図３ないし図６に示すように、ハウジングの第１の側面２０６の開口２２８から接続用端子１００が挿入される。上記したようにハウジングの第２の側面２１０からは接続端子９０の端子部９１０がスロット状の貫通孔２２８ｂを通して開口２２８内に延在している。接続用端子１００の一端部１０２は、図５に示すように、端子部９１０を弾性的に保持できるよう端部を折り曲げた弾性保持部１０４が形成されている。また、接続用端子１００の他端部１０６は、コモン電極線１０８に接続されている。
【００４７】
こうしてハウジング２０の第１の側面２０６には、接続用端子６０．７０、８０、１００が取付けられ、第２の側面２１０にはモジュール化したＩＢＰＳ保持部材５０が取付けられる。そして、ハウジング２０の底面に形成された貫通孔２０４ａ、２０４ｂ、２０４ｃにフューサイトピンが挿入され、これらは接続用端子６０、７０、８０と電気的に接続される。
【００４８】
コモン端子Ｃから供給された電流は、接続用端子７０、ヒューズ端子４０、導電性ピン３１０、バイメタルスイッチ３０５、金属容器３０２、接続端子９０、および接続用端子１００を介してコモン電極線１０８に流される。また、電動機の主巻線は、接続用端子６０および主巻線用端子Ｍを介して外部とインターフェースされ、始動巻線は、接続用端子８０および始動巻線用端子Ｓを介して外部とインターフェースされる。
【００４９】
本実施例によれば、保護装置１を、ハウジング２０と保持部材５０とに分けて構成するようにしたので、電動圧縮機の各仕様毎に取付け位置、取り付け方向取り付けスペース等が異なったとしても、保護装置全体の設計することなく、ハウジングまたは保持部材のいずれか一方を設計することで対処可能となることが期待される。これにより、設計に要する費用や労力を削減することができる。
【００５０】
さらに、保持部材５０がヒューズ端子４０を保持するため、溶断時に生じるであろう高熱に対処できるように、保持部材５０には熱的に安定した高価な熱硬化性樹脂（不飽和酸ポリエステル等）が用いられるが、従来のように一体構造のハウジングの場合には、ハウジング全体を高価な熱硬化性材にしなければならなかった。本実施例では、ハウジングの材質に保持部材よりもコストの安い熱可塑性材を用いることができ、結果として、コストの低減された保護装置を提供することができる。
【００５１】
さらに、ハウジングの第１および第２の側面に複数の開口を並置する構成を採用したことで、ハウジングを薄型、コンパクトな構成にすることができ、電動圧縮機内の限られた空間内に収容することが可能となる。
【００５２】
以上本発明の好ましい実施の形態について詳述したが、本発明は係る特定の実施形態に限定されるものではなく、特許請求の範囲に記載された本発明の要旨の範囲内において、種々の変形、変更が可能である。
【産業上の利用可能性】
【００５３】
本発明に係る保護装置は、冷凍庫やエアーコンディショナー等の電動圧縮機に用いられ、特に、電動圧縮機内に取付けられるインターナルプロテクタまたはクラスターブロックを含む一体型のプロテクタとして利用される。
【図面の簡単な説明】
【００５４】
【図１】密閉型電動圧縮機の内部に取付けられる保護装置を説明する図である。
【図２】図２(ａ)はシェルの頂部からみたフューサイトピンの斜視図、図２（ｂ）はシェルの内部からみたフューサイトピンの平面図である。
【図３】本実施例の保護装置の構成を示す図であり、第２の側面側の上方からみた斜視図である。
【図４】本実施例の保護装置の構成を示す図であり、第２の側面側の下方からみた斜視図である。
【図５】本実施例の保護装置の構成を示す図であり、第１の側面側の上方からみた斜視図である。
【図６】本実施例の保護装置の構成を示す図であり、第１の側面側の下方からみた斜視図である。
【図７】ハウジングの構成を示し、図７(ａ)はハウジングの第２の側面を示す図、図７（ｂ）は上面図、図７（ｃ）は底面図、図７（ｄ）は第１の側面を示す図である。
【図８】図８(ａ)は図７（ｂ）のＹ１、Ｙ２、Ｙ３、Ｙ４、Ｙ５線矢視断面図、図８（ｂ）は図７（ｄ）のＸ１線矢視断面図である。
【図９】プロテクタの内部構成を示す断面図である。
【図１０】ヒューズ端子を示す図である。
【図１１】図１１（ａ）は保持部材の斜視図、図１１（ｂ）ないし（ｆ）は図１１(ａ)におけるＡ１ないしＡ５の矢視図である。
【図１２】図１２(ａ)は接続端子９０の正面図、図１２（ｂ）はその側面図、図１２（ｃ）はその正面図である。
【図１３】図１２(ａ)は接続用端子７０の左面図、図１３（ｂ）は上面図、図１３（ｃ）は右側面図、図１３(ｄ)は正面図である。
【符号の説明】
【００５５】
１：保護装置                      １０：電動圧縮機
１２：シェル                      １４：フューサイトピン
１６：吐出管                      １８：巻線
２０：ハウジング                  ３０：プロテクタ
４０：ヒューズ端子                ５０：保持部材
６０：接続用端子                  ７０：接続用端子
８０：接続用端子                  ９０：接続端子
１００：接続用端子                ２０６：第１の側面
２１０：第２の側面
２２０、２２２、２２４、２２６、２２８：開口
２３０、２３２、２３６、２３８：開口
【図１】
2005146951.tif 000003
【図２】
2005146951.tif 000004
【図３】
2005146951.tif 000005
【図４】
2005146951.tif 000006
【図５】
2005146951.tif 000007
【図６】
2005146951.tif 000008
【図７】
2005146951.tif 000009
【図８】
2005146951.tif 000010
【図９】
2005146951.tif 000011
【図１０】
2005146951.tif 000012
【図１１】
2005146951.tif 000013
【図１２】
2005146951.tif 000014
【図１３】
2005146951.tif 000015